(57)【要約】  胸部、袖、襟、および締め部を含む耐切断性セーターが提供される。締め部は、襟の上部から胸部の少なくとも一部を通って延びる開口と、面ファスナーの第１部分を有するストリップとを含む。締め部は襟を支持するために襟に対して剛性がある。セーターは耐切断性糸を含み、これは第１袖の袖口、第１袖、身頃および襟、第２袖、第２袖の袖口の順にセーターに編み上げられる。【選択図】図４
2013538949.tif 000002
【特許請求の範囲】
【請求項１】
耐切断性材料から作られたセーター部を備える耐切断性衣服であって、前記セーター部は、
（ａ）胸部と、
（ｂ）１対の袖と、
（ｃ）襟であって、前記襟は上端および下端を有し、前記襟の前記下端は前記胸部に対して一体的である、襟と、
（ｄ）前記胸部の少なくとも一部を通って前記襟の前記上端から延びる締め部であって、
（ｉ）前記胸部の少なくとも一部を通って前記襟の前記上端から延びる開口と、
（ｉｉ）第１部分および第２部分を有する面ファスナーであって、前記第１部分は前記第２部分に着脱可能である、面ファスナーと、
（ｉｉ）前記面ファスナーの第１部分を有するストリップと、
（ｉｉｉ）少なくとも２片で配置された前記面ファスナーの第２部分であって、前記２片の一方は前記開口の第１側部に隣接し、前記２片のもう一方は前記開口の第２側部に隣接する、第２部分と、を備え、
（ｉｖ）前記襟を支持するために前記襟に対して剛性がある、締め部と、
を備える、耐切断性衣服。
【請求項２】
エプロンをさらに備え、前記エプロンは耐切断性材料から作られており前記セーター部の下部に着脱可能である、請求項１に記載の耐切断性衣服。
【請求項３】
前記エプロンはエプロンファスナーを利用する前記セーター部に着脱可能であり、前記エプロンファスナーは面型ファスナーのフック状ファスナー布地を利用し、前記フック状ファスナー布地は前記エプロンの前記耐切断性材料に付着する、請求項２に記載の耐切断性衣服。
【請求項４】
前記エプロンは前記エプロンの上端に隣接する一端に取り付けられたストリップを含み、前記ストリップは、ユーザーの腰の周りに配置されて前記エプロンの上端に隣接するループ状ファスナー布地に付着することによって前記エプロンを前記ユーザーに装着するためのフック状ファスナー布地を含み、前記ストリップは洗濯時に前記エプロンに前記ストリップを固定できるよう、ユーザーが使用していないときに前記エプロンの上端に隣接するループ状ファスナー布地に取り付け可能である、請求項２に記載の耐切断性衣服。
【請求項５】
セーター部を備える耐切断性衣服であって、前記セーター部は、
（ａ）胸部と
（ｂ）１対の袖と、
（ｃ）襟であって、前記襟は上端および下端を有し、前記下端は前記胸部に対して一体的である、襟と、
（ｄ）前記胸部の少なくとも一部を通って前記襟の前記上端から延びる締め部であって、前記締め部は前記胸部の少なくとも一部を通って前記襟の上端から延びる開口を備えており、前記締め部は前記襟を支持するために前記襟に対して剛性を備える面ファスナーを含む、締め部と、
を備える、耐切断性衣服。
【請求項６】
エプロンをさらに備え、前記エプロンは耐切断性材料から作られており、前記セーター部の下部に着脱可能である、請求項５に記載の耐切断性衣服。
【請求項７】
前記エプロンはエプロンファスナーを利用する前記セーター部に着脱可能であり、前記エプロンファスナーは面型ファスナーのフック状ファスナー布地を利用し、前記フック状ファスナー布地は前記エプロンの耐切断性材料に付着する、請求項６に記載の耐切断性衣服。
【請求項８】
前記エプロンは前記エプロンの上端に隣接する一端に取り付けられたストリップを含み、前記ストリップはユーザーの腰の周りに配置されて前記エプロンの上端に隣接するループ状ファスナー布地に付着することによって前記エプロンを前記ユーザーに装着するためのフック状ファスナー布地を含む、請求項６に記載の耐切断性衣服。
【請求項９】
耐切断性衣服の製造方法であって、
前記耐切断性衣服は、胸部と、袖口を有する第１袖と、袖口を有する第２袖と、襟とを備えるセーター部を備えており、
（ａ）耐切断性糸を提供するステップと、
（ｂ）前記耐切断性糸を肩の縫い目を露出することなくセーターに編み上げるステップであって、
（ｉ）前記第１袖の袖口、
（ｉｉ）前記第１袖、
（ｉｉｉ）身頃、
（ｉｖ）前記第２袖、
（ｖ）前記第２袖の袖口、
の順序で遂行される、編み上げるステップと、
を備える方法。
【請求項１０】
前記編むステップは平面編み機を使用して実施される、請求項９に記載の方法。
【請求項１１】
前記編むステップの順序は前記身頃を編むステップ中に襟を編むステップを含む、請求項９に記載の方法。
【請求項１２】
前記耐切断性糸をセーターに編み上げるステップに続いて襟を取り付けることを含む、請求項９に記載の方法。
【発明の詳細な説明】
【技術分野】
【０００１】
本発明は一般に防護服に関する。さらに詳しくは、本発明は割れたガラス、刃やナイフなどの先の鋭利な物による切断または切裂きによる怪我からの保護を必要とする人が着用する防護服を対象とする。
【背景技術】
【０００２】
ガラス取り扱い業者は、特に怪我の危険性にさらされることが多く、適切な防護服を着用しなければならない。従来、セーターは典型的に２つのパネル、すなわちフロントパネルとバックパネルで編まれていた。これら２つのパネルは付属の袖と結合されていた。この種の設計では、肩の上部と首の縫い目が放置される。縫い目は、耐切断性製品の最も弱い部分である。
【０００３】
数多くの特許文献が耐切断性衣服を対象としており、それらには様々な特徴が記述されている。例えば米国特許第７，０４３，７６６号明細書（Ｆｏｒｅｍａｎら）は、着用者の身体に隣接して風洞を形成する窪みを有する衣服を対象としている。糸の１つは耐切断性を提供するためにＫｅｖｌａｒなどの材料から形成される。
【０００４】
米国特許第６，０４４，４９８号明細書（Ｓｃｈｕｍａｎｎら）は、刃やナイフなどの先の鋭い道具による切裂きや切断による怪我から人を保護する耐切裂き性および耐切断性衣服を対象としている。この衣服は、肩部に取り付けられた首プロテクタを備える。首プロテクタ部には、二重網織物または多層織物が使用される。首を適切に保護する補強用の泡層などの材料が開示されている。
【０００５】
米国特許第５，２１０，８７７号明細書（Ｎｅｗｍａｎ）は、バイサイクリング用の耐磨耗性および耐切断性防護服を対象としている。上着は、耐磨耗性および耐切断性高性能繊維を含む防護布製パネルで構成される。防護パネルは構成成分であり、衣服を完成するために従来型の織物のパネルまたは部分に縫い付けられるかまたは取り付けられる。
【０００６】
米国特許第５，０２３，９５３号明細書（Ｂｅｔｔｃｈｅｒ）は、衣服および保護袖を対象としている。袖なしセーターは、取り外し可能な耐切断性保護長袖を有する。肩の縫い目を図１に示す。
【０００７】
Ｗｅｌｌｓ  Ｌａｍｏｎｔ  Ｉｎｄｕｓｔｒｙ  Ｇｒｏｕｐによる国際特許公開第２００５／１１１６３１６号明細書は、耐切断性保護袖とその製造方法を対象としている。袖は、リブタイプの編みステッチを用いて耐切断性繊維から作られた可撓耐切断性材料の管状袖である。リブタイプの編みステッチは、編み物製品に大きな可撓性を与える。
【０００８】
独国のＥｃｋｈａｒｄ  Ｈｏｔｚによる欧州特許第ＥＰ  １  ７２８  ４４２号明細書は、チェーンソーや鋸を使うときに怪我を防止するための切断保護衣服を対象としており、耐切断性材料の第１層と第１層の表面に配置された第２層とを含む。
【０００９】
本明細書で引用されるすべての参考文献は、その全体が参照により本明細書に組み入れられる。
【先行技術文献】
【特許文献】
【００１０】
【特許文献１】米国特許第７，０４３，７６６号明細書
【特許文献２】米国特許第６，０４４，４９８号明細書
【特許文献３】米国特許第５，２１０，８７７号明細書
【特許文献４】米国特許第５，０２３，９５３号明細書
【特許文献５】国際特許公開第２００５／１１１６３１６号明細書
【特許文献６】欧州特許第ＥＰ  １  ７２８  ４４２号明細書
【発明の概要】
【発明が解決しようとする課題】
【００１１】
本発明は、耐切断性材料から作られたセーター部を有する耐切断性衣服およびオプションとしてエプロンを対象とする。
【課題を解決するための手段】
【００１２】
セーター部は、胸部と、１対の袖と、上端および下端を有する襟とを含む。襟の下端は胸部に対して一体的である。胸部の少なくとも一部を通って襟の上端から延びる締め部が提供される。締め部は、胸部の少なくとも一部を通って襟の上端から延びる開口と、第１部分および第２部分を有する面ファスナー（第１部分は第２部分に着脱可能である）と、面ファスナーの第１部分を有するストリップとを含む。ストリップは、好ましくは開口の長さと一般に同じ長さを有する。面ファスナーの第２部分は、少なくとも２片で配置され、１片は開口の第１側部に隣接し、第２片は開口の第２側部に隣接する。締め部は、襟を支持するために襟に対して剛性があるのが好ましい。
【００１３】
耐切断性材料から作られ、セーター部の下部に着脱可能であるエプロンが提供されてもよい。エプロンは、フック状ファスナー布地を含むエプロンファスナーを利用する着脱可能なものであることが好ましい。フック状ファスナー布地は、エプロンの耐切断性材料に付着する。エプロンは、エプロンの上端に隣接するエプロンの一端に取り付けられたストリップを含んでいてもよい。ストリップは、ユーザーの腰の周りに配置されてエプロンの上端に隣接するループ状ファスナー布地に付着することによってユーザーにエプロンを取り付けるためのフック状ファスナー布地を含んでいてもよい。ストリップは、洗濯時にエプロンにストリップを固定できるよう、ユーザーが使用していないときにエプロンの上端に隣接してエプロンに配置されたループ状ファスナー布地に取り付けられてもよい。
【００１４】
本発明の耐切断性衣服の代替実施形態では、セーター部は、胸部と、１対の袖と、上端および下端を有する襟とを含み、下端は胸部に不可欠である。締め部は、胸部の少なくとも一部を通って襟の上端から延びる。締め部は、胸部の少なくとも一部を通って襟の上端から延びる開口を含む。締め部は、襟を支持するために襟に対して剛性を備える面ファスナーを含む。
【００１５】
また、耐切断性衣服の製造方法が提供され、耐切断性衣服は胸部を有するセーター部と、袖口を有する第１袖と、袖口を有する第２袖と、襟とを含む。当該方法は、耐切断性糸を提供するステップと、耐切断性糸を肩の縫い目を露出することなくセーターに編み上げるステップとを含む。編むステップは、（ａ）第１袖の袖口、（ｂ）第１袖、（ｃ）身頃、（ｄ）第２袖、および（ｅ）第２袖の袖口の順に遂行される。この順序は、身頃を編むステップと同時に襟を編むステップを含んでいてもよい。
【００１６】
あるいは、別に製造された襟を、編むステップの後でセーターに取り付けてもよい。好ましくは、編むステップは平面編み機を用いて実施される。
【図面の簡単な説明】
【００１７】
本発明を同様の参照番号が同様の要素を示す以下の図面と関連付けて説明する。
【図１】本発明の好ましい実施形態による耐切断性衣服の前面図である。
【図２】図１の耐切断性衣服の後面図である。
【図３】図１の耐切断性衣服の側面図である。
【図４】セーター部およびエプロン部を示す図１の耐切断性衣服の分解前面図である。
【図５】図１の耐切断性衣服のセーター部の部分後面図である。
【図６】図１の耐切断性衣服のセーター部の部分前面図である。
【図７】図１の耐切断性衣服の部分的に開放された状態にある後締め部を示すセーター部の部分後面図である。
【発明を実施するための形態】
【００１８】
本発明を以下の実施形態を参照してさらに詳しく説明するが、本発明はこれらに限定されると見なされるものでないことを理解されたい。
ここで図面を参照すると、同様の参照番号は複数の図を通じて同様の要素を参照しており、図１〜７には本発明の好ましい実施形態による耐切断性衣服１０が示される。耐切断性衣服１０は、セーター部１２およびエプロン１４を含む。
【００１９】
セーター部１２は、胸部１６と、１対の袖１８、２０と、襟２２と、締め部２４とを含む。襟２２は上端２６および下端２８を有する。襟２２の下端２８は胸部１６の最上部に対して一体的である。
【００２０】
締め部２４は、胸部１６の少なくとも一部を通って襟２２の上端２６から延びる。締め部２４は、胸部１６の少なくとも一部を通って襟２２の上端２６から延びる開口３０を含む。Ｖｅｌｃｒｏ（登録商標）ファスナーなど、面ファスナー３２は、第１部分３４および第２部分３６を有しており、周知のように、その一方はフック３８を含み、もう一方はループ４０を含む。第１部分３４は、第２部分３６に取り外し可能かつ再利用可能に取り付けられる。
【００２１】
好ましくは布地４４から作られたストリップ４２は、その表面に面ファスナー３２の第１部分３４、例えばフック部を有する。この第１部分３４は、単一片のフックまたはループ布地である必要がない。例えば図７に示すように、２つのストリップ３４Ａおよび３４Ｂが示される。ストリップ４２は好ましくは開口３０の長さと一般に同じ長さを有する。２つの部分からなる面ファスナー３２の第２部分３６は、開口３０の第１側部４６と開口３０の第２側部４８の各々に隣接して２つのストリップで配置される。
【００２２】
この配置は、有利には、両手が同じように使える締め部２４を提供する。すなわち、ストリップ４２は、開口３０の第１側部４６と開口の第２側部４８の各々に隣接するストリップのいずれか一方から引かれうるが、残りは他方に固定される。ストリップ４２は、セーター部１２の左側または右側から引かれうる。好ましくは、締め部２４（開口３０と面ファスナー３２とを含む）は、襟２２を支持するために襟に対して剛性がある。
【００２３】
耐切断性衣服１０は、耐切断性材料５６から作られたエプロン１４をさらに含んでいてもよい。エプロン１４は、面ファスナー５８を介してセーター部１２の下部５０に取り付け可能である。好ましくは、フック部のみがエプロン１４の表面に存在する。エプロン１４の材料は、ファスナーのフック部として機能するように作用する。さらに、エプロン１４をユーザーに装着するのに役立つ面型ファスナーのフック状ファスナー布地５４のストリップ５２が使用されてもよい。ストリップ５２は、エプロン１４の上隅６０に取り付けられ、ユーザーの腰を一回りし、エプロン１４の材料６２と輪になるように再びエプロンに付着する。ループ状ファスナー布地は、洗濯時にストリップ５２をエプロンに固定できるよう、エプロンの後側に存在してもよい。
【００２４】
好ましくは、エプロン１４は編み物である。こうすることで、エプロン１４の布地が刃先の前方に延びて耐切断性が増す。先行技術における過去のエプロンには、Ｋｅｖｌａｒ（登録商標）あや織物または皮革が使われている。
【００２５】
好ましくは、セーター部１２およびエプロン１４は面ファスナー部が互いに不規則に付着することなく洗濯できるように、前述のすべての面ファスナーでセーター部１２およびエプロン１４にファスナーのループ部が利用される。
【００２６】
好ましくは、糸デニールは約４００〜２０００である。糸は、高圧ポリエチレン（ＨＰＰＥ）、グラスファイバー、ポリエステル、ポリプロピレンおよび鋼、ナイロン、強力ナイロンなどの任意の組合せであってもよいが、これらに限定されない。好ましくは、編み機は平面編み機である。
【００２７】
好ましくは、エプロン１４は耐切断性である編み物から作られる。過去のパネル設計は織物であった。編み物は、耐切断性を増すように延びるうえ、編み物中の個々の繊維がよじれて回転するため耐切断性をさらに増すことができる。織物にはこれらの利点がない。
【００２８】
重要なことには、耐切断性衣服１０のセーター部１２は、好ましくは耐切断性糸を提供して肩の縫い目を露出することなく糸をセーターに編み上げることによって編まれる。これは以下の固有の順序で編むことによって遂行される。まず、第１袖の袖口が編まれる。第２に、第１袖が編まれる。第３に、身頃が編まれる。第４に、第２袖が編まれる。最後に、第２袖の袖口が編まれる。襟を編むステップは、身頃を編むステップ中に行われてもよい。あるいは、耐切断性糸をセーターに編み上げるステップに続いて襟を取り付けるステップが含まれてもよい。このように編むと、肩の縫い目が露出しないのでセーターの肩領域に安全性と強度が備わる。さらに、取り付けられた袖とともに２つのパネル構造（前および後）を利用した過去の耐切断性衣服とは異なり、本耐切断性衣服は脇の下領域における先細設計と本明細書に記述する固有の構造プロセスを利用しうることから適切にひだが寄る。
【００２９】
図に示すように、本発明では、セーター部１２の後側に位置する締め部２４を利用する。このような後締め部２４を採用すると、前部が切断から完全に保護される。
本発明をその具体的な実施形態に関して詳しく説明してきたが、本発明において様々な変更および修正が本発明の趣旨および範囲から逸脱することなくなされうることは当業者にとって明らかであろう。
【図１】
2013538949.tif 000003
【図２】
2013538949.tif 000004
【図３】
2013538949.tif 000005
【図４】
2013538949.tif 000006
【図５】
2013538949.tif 000007
【図６】
2013538949.tif 000008
【図７】
2013538949.tif 000009
【国際調査報告】
2013538949.tif 000010